(57)【特許請求の範囲】
【請求項１】
基地局にて異なるパワー・レベルでクイック・ページング・チャネルを送信する方法であって、前記クイック・ページング・チャネルはページング・インジケータおよびコンフィギュレーション変更インジケータを含み、前記方法は第１パワー・レベルで前記ページング・インジケータを送信する段階と、前記第１パワー・レベルとは異なる第２パワー・レベルで前記コンフィギュレーション変更インジケータを送信する段階と、によって構成されることを特徴とする方法。
【請求項２】
異なるパワー・レベルでクイック・ページング・チャネルを送信する方法において、前記コンフィギュレーション変更インジケータは、前記ページング・インジケータのパワー・レベルよりも高いパワー・レベルで送信されることを特徴とする請求項１記載の方法。
【請求項３】
ページング・インジケータのパワー・レベルを設定する方法において、
基地局におけるコンフィギュレーション・パラメータ値の情報を更新する段階と、
クイック・ページング・チャネル・インジケータ・ビットをオンの位置に設定する段階と、
前記コンフィギュレーション・パラメータ値の情報の変化がクイック・ページング・チャネルのパワー・レベルの変化を含む場合、ページング・インジケータ・ビットのパワー・レベルを前回のクイック・ページング・チャネルのパワー・レベルに設定する段階と、
前記ページング・インジケータのパワー・レベルを新しいページング・インジケータ・ビットのパワー・レベルへ設定する段階と、
から構成されることを特徴とする方法。
【請求項４】
ページング・インジケータのパワー・レベルを設定する方法において、前記ページング・インジケータのパワー・レベルを新しいページング・インジケータ・ビットのパワー・レベルへ設定する段階が予め定める時間後に行われることを特徴とする請求項３記載の方法。
【請求項５】
受信機にて異なるパワー・レベルでクイック・ページング・チャネルを受信する方法であって、前記クイック・ページング・チャネルはページング・インジケータおよびコンフィギュレーション変更インジケータを含み、前記方法は第１パワー・レベルで前記ページング・インジケータを受信する段階と、前記第１パワー・レベルとは異なる第２パワー・レベルで前記コンフィギュレーション変更インジケータを受信する段階と、によって構成されることを特徴とする方法。
【請求項６】
異なるパワー・レベルでクイック・ページング・チャネルを受信する方法において、前記コンフィギュレーション変更インジケータは、前記ページング・インジケータのパワー・レベルよりも高いパワー・レベルで受信されることを特徴とする請求項５記載の方法。
【発明の詳細な説明】
【０００１】
【産業上の利用分野】
本発明は、一般に、通信システムに関し、さらに詳しくは、基地局にて異なるパワー・レベルでクイック・ページング・チャネルを送信する方法に関する。
【０００２】
【従来の技術】
アイドル・ハンドオフの後に、格納済みコンフィギュレーション・パラメータ値が常に最新であることを保証するためには、現行のｃｄｍａ２０００手順では、ＴＲ４５．５．２．３．ＳＩＧ／９８．１２．０１．０２のセクション２．６．２．１．４．２に記載されるように、移動局はアイドル・ハンドオフ後の通常のページング・チャネル（ＰＣＨ）で常にウェークアップ(wake up)することが必要とされる。現行のＣＤＭＡシステムでの実験によると、複数のパイロットのあるエリアではアイドル・ハンドオフは通常頻繁に行われることが判明している。クイック・ページング・チャネル（ＱＰＣＨ：Quick Paging Channel）はアイドル・ハンドオフ後に迂回されるので、アイドル・ハンドオフ後の最初のページング・チャネル・スロットではＱＰＣＨによる待機時間の改善(standby time improvement)はない。
【０００３】
ＱＰＣＨページング・インジケータ・ビットを監視する移動局について、格納済みコンフィギュレーション・パラメータが最新であることを保証するためには、基地局は、オーバヘッド・コンフィギュレーション情報を更新した後に、全てのＱＰＣＨページング・インジケータ・ビットを、最大スロット・サイクル・インデクスの関数である時間だけ、「オン」に設定する。例えば、現行のシステムでは、基地局は、最大スロット・サイクル・インデクスが０に設定されると、全てのＱＰＣＨページング・インジケータ・ビットを１．２８秒だけ「オン」に設定する。これについては、ＴＲ４５．５．２．３．ＳＩＧ／９８．１１．１７．０７，ＴＲ４５．５．２．３．ＳＩＧ／９８．１１．１７．０８およびＴＲ４５．５．２．３．ＳＩＧ／９８．１１．１８．０６に記載されている。
【０００４】
しかし、基地局のコンフィギュレーション情報が変更したときに移動局が別の基地局を監視中であり、その後移動局がこの基地局へのアイドル・ハンドオフを行う場合、ＱＰＣＨページング・インジケータ・ビットを監視しても、移動局は自局の格納済みコンフィギュレーション・パラメータ値を更新しない。
【０００５】
従って、アイドル・ハンドオフ後に最新の格納済みコンフィギュレーション・パラメータ値を保証する改善された方法が必要とされる。すなわち、アイドル・ハンドオフが行なわれるに際して、移動局へのコンフィギュレーション・パラメータを確実に伝送することが必要となる。
【０００６】
本発明は、基地局にて異なるパワー・レベルでクイック・ページング・チャネルを送信する方法を提供する。クイック・ページング・チャネルは、ページング・インジケータおよびコンフィギュレーション変更インジケータを含む。本方法は、第１パワー・レベルでページング・インジケータを送信する段階と、第１パワー・レベルとは異なる第２パワー・レベルでコンフィギュレーション変更インジケータを送信する段階とによって構成される。好ましくは、第２パワー・レベルは第１パワー・レベルよりも高い。すなわち、コンフィギュレーション変更インジケータをページング・インジケータより高いパワー・レベルで送信することにより、アイドル・ハンドオフが頻繁に発生する領域においてもコンフィギュレーション変更インジケータを移動局に確実に伝送することができるとともに、移動局の電力消費を低減させることが可能になる。
【０００７】
標準的なＴＩＡ／ＥＩＡ−９５−Ｂのページング・チャネル監視手順に従って、移動局は、汎用ページ・メッセージ(General Page Message)内のＣＯＮＦＩＧ＿ＭＳＧ＿ＳＥＱフィールドを調べることによって、自局のコンフィギュレーション・パラメータ値が最新であるかどうかを好ましくは判定する。なお、「ページ(page)」という用語は、汎用ページ・メッセージなどのページング・メッセージ、もしくは移動局に宛てられる任意の他のメッセージを表すことを理解されたい。あるいは、移動局は、自局が自局のページング・チャネル・スロットでウェークアップするときを別のメッセージ内で調べることにより、自局のコンフィギュレーション・パラメータ値が最新であるかどうかを判定する。ＣＯＮＦＩＧ＿ＭＳＧ＿ＳＥＱが移動局の格納済み値と一致しなければ、移動局は新規コンフィギュレーション・パラメータ値を受信するためにより長い時間だけウェーク状態を維持する。
【０００８】
ページング・チャネルは、好ましくは、ページング・チャネル・スロット(Paging Channel slots)と呼ばれる８０ｍｓのスロットに分割される。非スロット・モードで動作する移動局のページング・メッセージおよび制御メッセージは、任意のページング・チャネル・スロットにて受信でき、そのため、非スロット動作モードでは、移動局は全てのスロットを監視する必要がある。非スロット・モードで動作する移動局は、常にページング・チャネルを監視しなければならない。
【０００９】
スロット・モードの動作中に、移動局は、好ましくは、以下に示すように、自局の格納済みコンフィギュレーション・パラメータ値が最新であることを保証する。好ましくは、移動局は自局のコンフィギュレーション・パラメータが最新でない場合には、スロット・モードで動作しない。
【００１０】
好ましくは、ページング・チャネル上のオーバヘッド・メッセージは以下の通りである。
・  システム・パラメータ・メッセージ(System Parameters Message)
・  アクセス・パラメータ・メッセージ(Access Parameters Message)
・  近傍リスト・メッセージ(Neighbor List Message)
・  ＣＤＭＡチャネル・リスト・メッセージ(CDMA Channel List Message)
・  拡張システム・パラメータ・メッセージ(Extended System Parameters Message)
・  グローバル・サービス・リダイレクション・メッセージ(Global Service Redirection Message)
・  拡張近傍リスト・メッセージ(Extended Neighbor List Message)
・  汎用近傍リスト・メッセージ(General Neighbor List Message)
オーバヘッド情報動作に対する応答(Response to Overhead Information Operation)は、好ましくは、移動局がオーバヘッド・メッセージを受信する毎に行われる。移動局は、受信メッセージのデータ・フィールドから、内部格納済み情報を更新する。コンフィギュレーション・パラメータおよびアクセス・パラメータは、コンフィギュレーション・メッセージおよびアクセス・パラメータ・メッセージにて受信される。好ましくは、コンフィギュレーション・メッセージは次の通りである。
・  システム・パラメータ・メッセージ(System Parameters Message)
・  近傍リスト・メッセージ(Neighbor List Message)
・  ＣＤＭＡチャネル・リスト・メッセージ(CDMA Channel List Message)
・  拡張システム・パラメータ・メッセージ(Extended System Parameters Message)
・  グローバル・サービス・リダイレクション・メッセージ(Global Service Redirection Message)
・  拡張近傍リスト・メッセージ(Extended Neighbor List Message)
・  汎用近傍リスト・メッセージ(General Neighbor List Message)  各ページング
・チャネル上で送信されるコンフィギュレーション・メッセージのセットに関連するものに、コンフィギュレーション・メッセージ・シーケンス番号（ＣＯＮＦＩＧ＿ＭＳＧ＿ＳＥＱ）がある。一つまたはそれ以上のコンフィギュレーション・メッセージの内容が変化すると、コンフィギュレーション・メッセージ・シーケンス番号は好ましくはインクリメントされる。受信した各コンフィギュレーション・メッセージについて、移動局はコンフィギュレーション・メッセージ内に含まれるコンフィギュレーション・メッセージ・シーケンス番号（ＳＹＳ＿ＰＡＲ＿ＭＳＧ＿ＳＥＱｓ，ＮＧＨＢＲ＿ＬＩＳＴ＿ＭＳＧ＿ＳＥＱｓ，ＥＸＴ＿ＮＧＨＢＲ＿ＬＳＴ＿ＭＳＧ＿ＳＥＱｓ，ＧＥＮ＿ＮＧＨＢＲ＿ＬＳＴ＿ＭＳＧ＿ＳＥＱｓ，ＣＨＡＮ＿ＬＩＳＴ＿ＭＳＧ＿ＳＥＱｓ，ＥＸＴ＿ＳＹＳ＿ＰＡＲ＿ＭＳＧ＿ＳＥＱｓまたはＧＬＯＢ＿ＳＥＲＶ＿ＲＥＤＩＲ＿ＭＳＧ＿ＳＥＱｓ）を格納する。また、移動局は、任意のメッセージに含まれる最も最近受信されたコンフィギュレーション・メッセージ・シーケンス番号（ＣＯＮＦＩＧ＿ＭＳＧ＿ＳＥＱ）を格納する。移動局はコンフィギュレーション・メッセージ・シーケンス番号の格納済み値を調べて、移動局によって格納されたコンフィギュレーション・パラメータが最新であるかどうかを判定する。
【００１１】
また、コンフィギュレーション・メッセージ・シーケンス番号は、汎用ページ・メッセージにも含まれる。これにより、移動局はコンフィギュレーション・メッセージを待たずに、格納済みコンフィギュレーション・パラメータが最新であるかどうかを判定できる。アクセス・パラメータ・メッセージは、ＡＣＣ＿ＭＳＧ＿ＳＥＱフィールドによって独立してシーケンス番号が付される。好ましくは、移動局は最も最近受信されたアクセス・パラメータ・メッセージ・シーケン番号ス（ＡＣＣ＿ＭＳＧ＿ＳＥＱｓ）を格納する。
【００１２】
好ましくは、移動局は、自局が最近監視していたページング・チャネルからのコンフィギュレーション・パラメータを格納する。移動局が最近監視していたページング・チャネルの監視を開始すると、移動局はコンフィギュレーション・メッセージあるいは汎用ページ・メッセージ内のＣＯＮＦＩＧ＿ＭＳＧ＿ＳＥＱｓを調べることによって、格納済みパラメータが最新であるかどうかを判定できる。移動局は、受信されなかった、あるいは最新でないとマークされたメッセージについて、シーケンス番号の代わりに格納される特殊な値ＮＵＬＬを利用する。この特殊な値ＮＵＬＬは、どの有効なメッセージ・シーケンス番号とも等しくあってはならない。移動局は、以下の条件全てが真である場合にのみ、格納済みコンフィギュレーション・パラメータが最新であると判断する。
・  全ての格納済みコンフィギュレーション・メッセージ・シーケンス番号（ＳＹＳ＿ＰＡＲ＿ＭＳＧ＿ＳＥＱｓ，ＮＧＨＢＲ＿ＬＩＳＴ＿ＭＳＧ＿ＳＥＱｓ，ＥＸＴ＿ＮＧＨＢＲ＿ＬＩＳＴ＿ＭＳＧ＿ＳＥＱｓ，ＣＨＡＮ＿ＬＩＳＴ＿ＭＳＧ＿ＳＥＱｓ，ＥＸＴ＿ＳＹＳ＿ＰＡＲ＿ＭＳＧ＿ＳＥＱｓ，ＧＥＮ＿ＮＧＨＢＲ＿ＬＩＳＴ＿ＭＳＧ＿ＳＥＱｓおよびＧＬＯＢ＿ＳＥＲＶ＿ＲＥＤＩＲ＿ＭＳＧ＿ＳＥＱｓ）がＣＯＮＦＩＧ＿ＭＳＧ＿ＳＥＱｓに等しい；
・  ＣＯＮＦＩＧ＿ＭＳＧ＿ＳＥＱｓがＮＵＬＬに等しくない；および
・  パラメータを格納したページング・チャネル上で、移動局が有効なメッセージを最後に受信してから経過した時間が６００秒未満である。
コンフィギュレーション・パラメータが最新でない場合、移動局は、コンフィギュレーション・メッセージの受信時に格納済みパラメータを好ましくは処理する。
【００１３】
ページング・チャネル上でシステム・パラメータ・メッセージが受信される毎に、コンフィギュレーション・メッセージ・シーケンス番号ＣＯＮＦＩＧ＿ＭＳＧ＿ＳＥＱｒは、ＳＹＳ＿ＭＳＧ＿ＳＥＱｓに格納された番号と好ましくは比較される。比較の結果、一致すると、移動局はこのメッセージを好ましくは無視する。比較の結果、一致しないと、移動局はメッセージ内の残りのフィールドを処理する。比較の結果、一致しないと、移動局は以下のパラメータを好ましくは格納する。
・  コンフィギュレーション・メッセージ・シーケンス番号
（ＣＯＮＦＩＧ＿ＭＳＧ＿ＳＥＱｓ＝ＣＯＮＦＩＧ＿ＭＳＧ＿ＳＥＱｒ，
ＳＹＳ＿ＰＡＲ＿ＭＳＧ＿ＳＥＱｓ＝ＣＯＮＦＩＧ＿ＭＳＧ＿ＳＥＱｒ）
ページング・チャネル上でアクセス・パラメータ・メッセージが受信される毎に、シーケンス番号ＡＣＣ＿ＭＳＧ＿ＳＥＱｒはＡＣＣ＿ＭＳＧ＿ＳＥＱｓと比較される。比較の結果、一致すると、移動局はこのメッセージを好ましくは無視する。比較の結果、一致しなければ、移動局はメッセージ内の残りのフィールドを処理する。比較の結果、一致しなければ、移動局は以下のパラメータを好ましくは格納する。
・  アクセス・パラメータ・メッセージ・シーケンス番号
（ＡＣＣ＿ＭＳＧ＿ＳＥＱｓ＝ＡＣＣ＿ＭＳＧ＿ＳＥＱｒ）
現ページング・チャネル上で有効な近傍リスト・メッセージが受信される毎に、コンフィギュレーション・メッセージ・シーケンス番号ＣＯＮＦＩＧ＿ＭＳＧ＿ＳＥＱｒはＮＧＨＢＲ＿ＬＳＴ＿ＭＳＧ＿ＳＥＱｓに格納された番号と比較される。比較の結果、一致すると、移動局はこのメッセージを無視する。比較の結果、一致しなければ、移動局はメッセージ内の残りのフィールドを処理する。比較の結果、一致しなければ、移動局は以下のパラメータを好ましくは格納する。
・  コンフィギュレーション・メッセージ・シーケンス番号
（ＣＯＮＦＩＧ＿ＭＳＧ＿ＳＥＱｓ＝ＣＯＮＦＩＧ＿ＭＳＧ＿ＳＥＱｒ，
ＮＧＨＢＲ＿ＬＳＴ＿ＭＳＧ＿ＳＥＱｓ＝ＣＯＮＦＩＧ＿ＭＳＧ＿ＳＥＱｒ）
ページング・チャネル上でＣＤＭＡチャネル・リスト・メッセージが受信される毎に、コンフィギュレーション・メッセージ・シーケンス番号ＣＯＮＦＩＧ＿ＭＳＧ＿ＳＥＱｒはＣＨＡＮ＿ＬＳＴ＿ＭＳＧ＿ＳＥＱｓに格納された番号と好ましくは比較される。比較の結果、一致すると、移動局はこのメッセージを好ましくは無視する。比較の結果、一致しなければ、移動局はメッセージ内の残りのフィールドを処理する。比較の結果、一致しなければ、移動局は以下のパラメータを好ましくは格納する。
・  コンフィギュレーション・メッセージ・シーケンス番号
（ＣＯＮＦＩＧ＿ＭＳＧ＿ＳＥＱｓ＝ＣＯＮＦＩＧ＿ＭＳＧ＿ＳＥＱｒ，
ＣＨＡＮ＿ＬＳＴ＿ＭＳＧ＿ＳＥＱｓ＝ＣＯＮＦＩＧ＿ＭＳＧ＿ＳＥＱｒ）
ページング・チャネル上で拡張システム・パラメータ・メッセージが受信される毎に、コンフィギュレーション・メッセージ・シーケンス番号ＣＯＮＦＩＧ＿ＭＳＧ＿ＳＥＱｒはＥＸＴ＿ＳＹＳ＿ＰＡＲ＿ＭＳＧ＿ＳＥＱｓに格納された番号と好ましくは比較される。比較の結果、一致すると、移動局はこのメッセージを好ましくは無視する。比較の結果、一致しなければ、移動局はメッセージ内の残りのフィールドを処理する。比較の結果、一致しなければ、移動局は以下のパラメータを好ましくは格納する。
・  コンフィギュレーション・メッセージ・シーケンス番号
（ＣＯＮＦＩＧ＿ＭＳＧ＿ＳＥＱｓ＝ＣＯＮＦＩＧ＿ＭＳＧ＿ＳＥＱｒ，
ＥＸＴ＿ＳＹＳ＿ＰＡＲ＿ＭＳＧ＿ＳＥＱｓ＝ＣＯＮＦＩＧ＿ＭＳＧ＿ＳＥＱｒ）
ページング・チャネル上でグローバル・サービス・リダイレクション・メッセージが受信される毎に、コンフィギュレーション・メッセージ・シーケンス番号ＣＯＮＦＩＧ＿ＭＳＧ＿ＳＥＱｒはＧＬＯＢ＿ＳＥＲＶ＿ＲＥＤＩＲ＿ＭＳＧ＿ＳＥＱｓに格納された番号と好ましくは比較される。比較の結果、一致すると、移動局はこのメッセージを好ましくは無視する。比較の結果、一致しなければ、移動局は以下のパラメータを好ましくは格納する。
・  コンフィギュレーション・メッセージ・シーケンス番号
（ＣＯＮＦＩＧ＿ＭＳＧ＿ＳＥＱｓ＝ＣＯＮＦＩＧ＿ＭＳＧ＿ＳＥＱｒ，
ＧＬＯＢ＿ＳＥＲＶ＿ＲＥＤＩＲ＿ＭＳＧ＿ＳＥＱｓ＝ＣＯＮＦＩＧ＿ＭＳＧ＿ＳＥＱｒ）
現ページング・チャネル上で有効な拡張近傍リスト・メッセージが受信される毎に、コンフィギュレーション・メッセージ・シーケンス番号ＣＯＮＦＩＧ＿ＭＳＧ＿ＳＥＱｒはＥＸＴ＿ＮＧＨＢＲ＿ＬＳＴ＿ＭＳＧ＿ＳＥＱｓに格納された番号と好ましくは比較される。比較の結果、一致すると、移動局はこのメッセージを好ましくは無視する。比較の結果、一致しなければ、移動局はメッセージ内の残りのフィールドを処理する。比較の結果、一致しなければ、移動局は以下のパラメータを好ましくは格納する。
・  コンフィギュレーション・メッセージ・シーケンス番号
（ＣＯＮＦＩＧ＿ＭＳＧ＿ＳＥＱｓ＝ＣＯＮＦＩＧ＿ＭＳＧ＿ＳＥＱｒ，
ＥＸＴ＿ＮＧＨＢＲ＿ＬＳＴ＿ＭＳＧ＿ＳＥＱｓ＝ＣＯＮＦＩＧ＿ＭＳＧ＿ＳＥＱｒ，
ＮＧＨＢＲ＿ＬＳＴ＿ＭＳＧ＿ＳＥＱｓ＝ＣＯＮＦＩＧ＿ＭＳＧ＿ＳＥＱｒ）
現ページング・チャネル上で有効な汎用近傍リスト・メッセージが受信される毎に、コンフィギュレーション・メッセージ・シーケンス番号ＣＯＮＦＩＧ＿ＭＳＧ＿ＳＥＱｒはＧＥＮ＿ＮＧＨＢＲ＿ＬＳＴ＿ＭＳＧ＿ＳＥＱｓに格納された番号と好ましくは比較される。比較の結果、一致しなければ、移動局はメッセージ内の残りのフィールドを処理する。比較の結果、一致しなければ、移動局は以下のパラメータを好ましくは格納する。
・  コンフィギュレーション・メッセージ・シーケンス番号
（ＣＯＮＦＩＧ＿ＭＳＧ＿ＳＥＱｓ＝ＣＯＮＦＩＧ＿ＭＳＧ＿ＳＥＱｒ，
ＧＥＮ＿ＮＧＨＢＲ＿ＬＳＴ＿ＭＳＧ＿ＳＥＱｓ＝ＣＯＮＦＩＧ＿ＭＳＧ＿ＳＥＱｒ）
移動局が汎用ページ・メッセージを受信する毎に、移動局はコンフィギュレーション・メッセージ・シーケンス番号ＣＯＮＦＩＧ＿ＭＳＧ＿ＳＥＱｒをＣＯＮＦＩＧ＿ＭＳＧ＿ＳＥＱｓと比較する。比較の結果、一致しなければ、移動局はＣＯＮＦＩＧ＿ＭＳＧ＿ＳＥＱｓをＣＯＮＦＩＧ＿ＭＳＧ＿ＳＥＱｒに設定する。
【００１４】
ＴＲ４５．５は、ＴＩＡ／ＥＩＡ−９５−Ｂの次期バージョンにおいて移動局バッテリ寿命を増加するためにクイック・ページング・チャネル（ＱＰＣＨ：Quick Paging Channel）を採用している。この次期バージョンは、一般にｃｄｍａ２０００として知られている。ｃｄｍａ２０００規格におけるＱＰＣＨならびにページング・チャネル（ＰＣＨ）は、ＣＤＭＡ通信システムの共通の周波数スペクトル上で報知(broadcast)されるチャネルである。パイロット・チャネルも報知される。周知のように、チャネルはウォルシュ符号(Walsh codes)または他の固有の拡散符号(spreading codes)に関連付けることができる。ＱＰＣＨは、移動局がウェーク状態となる時間を低減する。本明細書では、移動局は無線周波数受信機および復調ハードウェアを利用してチャネルを復調するために電源から電力を消費しているときはウェーク状態である。また、本明細書では、「ウェークアップ(wake up)」という用語は、ページング信号を復調するために必要なハードウェアを起動したり、またこのハードウェアに電源を印加することを意味するために用いられる。同様に、「スリープ(sleep)」および「スリープ状態になる(go to sleep)」という用語は、移動局において電源を節約するためにハードウェアを起動停止することをいう。
【００１５】
ページング・インジケータ・ビットのために、誤り訂正符号化またはインタリーブは用いられない。そのため、ビットを受信するためにウェークアップする時間は、通常のページング・チャネル・スロットを受信するためにウェークアップする時間に比べて小さい。ページング・インジケータ・ビットは、移動局がページを受信するために自局のページング・チャネル・スロットでウェークアップすべきかを移動局に通知する。ＱＰＣＨビットを送信するために、オン・オフ・キーイング(on-off keying)が基地局によって用いられる。例えば、一方の値では、基地局は特定の拡散符号を利用して、ビット時間期間中に与えられたパワー・レベルにてスペクトル拡散信号を送信し、また他方の値では、基地局は特定の拡散符号を利用して、ビット時間期間中にパワーを送信しない。
【００１６】
移動局がＱＰＣＨビットを受信すると、好ましく３つの可能性、すなわち、「オン(ON)」，「オフ(OFF)」または「不確定(not certain)」がある。「オン」は、基地局が明らかにビットを送信したことを意味する。「オフ」は、基地局が明らかにビットを送信しなかったことを意味する。「不確定」は、移動局は基地局がビットを送信したかどうか不確定であることを意味する。ＱＰＣＨビット時間期間および拡散符号について受信パワーが十分強力であると移動局が判断した場合、移動局は基地局がビットを送信したと確定できる。ＱＰＣＨビット時間期間についてパイロット・パワーが十分強力であり、かつＱＰＣＨビット時間期間および拡散符号について受信パワーがほとんどないと移動局が判断した場合、移動局は基地局がビットを送信しなかったと確定できる。ＱＰＣＨビット時間期間についてパイロット・パワーが十分強力でないと移動局が判断した場合、移動局は基地局がビットを送信したかどうか確定できない。
【００１７】
本発明については、図１ないし図７を参照することで理解を深めることができよう。図１は、本発明の好適な実施例によるクイック・ページング・チャネル１００を示す。クイック・ページング・チャネル１００は、好ましくは、クイック・ページング・チャネル・スロットという８０ｍｓのスロット１０１に分割される。移動局の「通常の(regular)」８０ｍｓページング・チャネル（ＰＣＨ）スロット１０１に関連するのは、クイック・ページング・チャネル（ＱＰＣＨ）スロット１０３である。ＱＰＣＨスロット１０３の開始は、好ましくは、関連ＰＣＨスロット１０１の開始よりも１００ｍｓ前に生じる。各ＱＰＣＨスロット１０３は、好ましくは、４つの２０ｍｓフレーム１０５〜１０８に分割される。ＱＰＣＨスロット１０３において、移動局の第１ページング・インジケータ・ビットは、好ましくは、ＱＰＣＨスロット１０３の最初の２つの２０ｍｓフレーム１０５または１０６のうちの一方にある。移動局の第２ページング・インジケータ・ビットは、好ましくは、移動局の第１ページング・インジケータ・ビットを収容するフレームから２フレーム後のフレームにある。
【００１８】
図２は、従来技術による移動局のクイック・ページング・チャネル・ページング・インジケータ・ビット２０１のビット位置の例を示す。なお、ＱＰＣＨスロット２０３内の移動局のＱＰＣＨページング・インジケータ・ビット２０１の位置は、システム時間の関数として変化することに留意されたい。
【００１９】
ＱＰＣＨページング・インジケータ・ビット２０１を監視する移動局について、格納済みコンフィギュレーション・パラメータ値が最新であることを保証するためには、基地局が、オーバヘッド・コンフィギュレーション情報を更新した後に、全てのＱＰＣＨページング・インジケータ・ビット２０１を、最大スロット・サイクル・インデクスの関数である時間だけ「オン」に設定するすることが提唱されている。好適な実施例では、この時間は、最大スロット・サイクル・インデクスが０に設定される場合には、１．２８秒である。本発明の別の実施例では、最大スロット・サイクル・インデクスが０に設定される場合には、時間は２．５６秒または３．８４秒でもよく、また最大スロット・サイクル・インデクスが１に設定される場合には、時間は２．５６秒，５．１２秒または７．６８秒でもよい。
【００２０】
移動局がアイドル・モードであり、ページング・チャネルまたはクイック・ページング・チャネルを監視している場合、移動局は近傍基地局のパイロット信号の強度を測定する。ページング・チャネルまたはクイック・ページング・チャネルが監視されている基地局に関連するパイロット信号よりも、近傍パイロット信号が十分強いと移動局が判断した場合、移動局は近傍基地局へのハンドオフを行い、この近傍基地局のページング・チャネルおよびクイック・ページング・チャネルを監視する。この種のハンドオフは、アイドル・ハンドオフという。
【００２１】
ＴＩＡ／ＥＩＡ−９５−Ｂおよび提唱されているｃｄｍａ２０００規格によれば、移動局はセルからセルへのアイドル・ハンドオフを行う際に、格納済みコンフィギュレーション・パラメータ値を覚えておくために１０分間のタイマを有する。例えば、移動局がセルＡからコンフィギュレーション・パラメータ値を受信して、セルＢへアイドル・ハンドオフを行い、そして５分後にセルＡへのアイドル・ハンドオフを再度行う場合、移動局は自局の格納済みコンフィギュレーション・パラメータ値を取り出す。移動局は、コンフィギュレーション・メッセージまたは汎用ページ・メッセージ内のＣＯＮＦＩＧ＿ＭＳＧ＿ＳＥＱなどのシーケンス番号がセルの格納済み値と一致しているならば、コンフィギュレーション・パラメータ値を再度受信することで自局のバッテリまたは他の電源を浪費する必要はない。ＴＩＡ／ＥＩＡ−９５−Ｂによれば、移動局は、全てのコンフィギュレーション・パラメータが最新になるまで、ある時間期間にてコンフィギュレーション・パラメータ・メッセージが送信されるところのページング・チャネルを受信することにより、自局のコンフィギュレーション・パラメータ値を更新する。また、ｃｄｍａ２０００移動局は、ページング・チャネルを受信することによってコンフィギュレーション・パラメータを更新する。別の可能性は、全てのコンフィギュレーション・パラメータが最新になるまで、ある時間期間にてコンフィギュレーション・パラメータ・メッセージが送信されるところの特殊報知チャネル（ＢＣＣＨ：broadcast channel）を受信することによって、コンフィギュレーション・パラメータを更新する。ＢＣＣＨはＰＣＨと同様なチャネルであり、同様な方法で拡散され、一般に同一の周波数スペクトルで報知される。
【００２２】
基地局は、自局のコンフィギュレーション・パラメータ値を更新する際に、１０分よりも短い時間で全てのＱＰＣＨページング・インジケータ・ビットを「オン」に設定するので、移動局がオーバヘッド情報を格納しているセルに対してアイドル・ハンドオフを再度行う場合、移動局は自局のオーバヘッド情報が最新であることを保証するために、一つのページング・チャネル・スロットにてウェークアップする必要がある。この時間は、２０ｍｓから１６０ｍｓの範囲である。このような比較的長い時間でウェークアップすることは、ＱＰＣＨの目的を無効にしてしまう。アイドル・ハンドオフは、セル間のソフト・ハンドオフ領域では極めて頻繁に生じ、バッテリまたは他の電源を浪費する。一方、移動局がコンフィギュレーション変更について調べずにアイドル・ハンドオフの直後にクイック・ページング・ビットの監視を開始すると、その結果は移動局の損失(lost mobile station)、すなわちページングされても応答しない移動局となる。例えば、チャネル・コンフィギュレーションが変化すると、移動局は誤ったチャネルを監視することがありうる。また、ＱＰＣＨのパワー・レベルが低下すると、移動局はページングされても応答しないことがありうる。オーバヘッド情報が変化したときに移動局を速やかに更新することは重要である。
【００２３】
好ましくは、移動局は、ページング・チャネル・スロットでウェークアップせずに、コンフィギュレーション情報が変化したかどうかを、アイドル・ハンドオフの直後に判定できる。
【００２４】
図３に示すように本発明の好適な実施例では、１０ｍｓ毎に一つのＱＰＣＨビット３０１がコンフィギュレーション変更インジケータ・ビット(Configuration Change indicator bit)３０３として確保される。本発明の別の実施例では、ＱＰＣＨビットは５ｍｓ毎にコンフィギュレーション変更インジケータ・ビットとして確保される。さらに別の実施例では、ＱＰＣＨビットは２０ｍｓ毎にコンフィギュレーション変更インジケータ・ビットとして確保される。基地局がコンフィギュレーション・パラメータ値を変更すると、基地局は、ページング・インジケータＱＰＣＨビットと同様にオン・オフ・キーイングを利用して送信される全てのコンフィギュレーション変更インジケータ・ビット３０３を、好ましくはコンフィギュレーション情報を変更してから１０分後に、「オン」に好ましくは設定する。なお、これは最大スロット・サイクルについて全てのページング・インジケータ・ビットを設定することとは別に行われることに留意されたい。
【００２５】
移動局がアイドル・ハンドオフを行う際に、移動局は、新規基地局用の１０分タイマが終了していなければ、新規基地局について少なくとも一つのコンフィギュレーション変更インジケータ・ビット３０３を受信する。別の実施例では、移動局は複数のコンフィギュレーション変更クイック・ビットを受信・合成できる。これは、基地局からの信号が弱く、コンフィギュレーションが変更中であることを移動局が確定できないようなＲＦ状況において有用である。
【００２６】
さらに、移動局は一つまたは２つのページング・インジケータ・ビット３０５を受信する。ページがないことを移動局が確信でき、またコンフィギュレーション変更がなかったことを確信できる場合には、移動局は次のクイック・ページング・スロットまでスリープ状態になる。なお、コンフィギュレーション変更インジケータ・ビット３０３は、アイドル・ハンドオフ後にのみ移動局によって監視されことに留意されたい。コンフィギュレーションの変化がないことを移動局が確信すると、移動局は以降のクイック・ページング・スロットにおいてコンフィギュレーション変更ビット３０３を受信する必要はない。これは、本発明の重要な特徴である。なぜならば、アイドル・ハンドオフ後の最初のクイック・ページング・スロットにおいてのみコンフィギュレーション変更クイック・ビットを監視することで電力が消費されるためである。コンフィギュレーション変更クイック・ビットを受信した後にコンフィギュレーションが変化したことを移動局が判断すると、移動局は通常のページング・スロットでウェークアップして、自局のコンフィギュレーション・パラメータ値が最新になるまでウェーク状態を維持する。従って、本発明は、最新のコンフィギュレーション・パラメータを受信するために必要なときにのみ移動局をウェークアップさせることにより、大幅に向上したバッテリ寿命を提供する。
【００２７】
報知チャネル（ＢＣＣＨ）が用いられ、コンフィギュレーション変更インジケータ・ビット３０３を受信した後にコンフィギュレーションが変化したことを移動局が判断すると、移動局はウェークアップして、コンフィギュレーション・パラメータ値が最新になるまでＢＣＣＨを受信する。移動局がＢＣＣＨおよびＰＣＨの同時復調をサポートしない場合、移動局はウェークアップして、ページング・インジケータ・ビットに基づいて、必要ならば、ＰＣＨスロットを最初に受信し、次にＢＣＣＨを受信する。この方法は、移動局がページを失うことを防ぐことができる。好ましくは、移動局はＢＣＣＨおよびＰＣＨの同時復調をサポートし、この場合、移動局はＢＣＣＨを受信し、またページング・インジケータ・ビットに基づいて、必要ならば、ＰＣＨを同時に受信する。ＰＣＨおよびＢＣＣＨの同時復調は、無線受信機および関連ハードウェアがオン状態となり電力を消費する時間を最小限に抑えることにより、バッテリまたは他の電源を節約するために利用できる。
【００２８】
移動局が新規基地局へのアイドル・ハンドオフを行う必要があると判断したときに、新規基地局用の有効なコンフィギュレーション・パラメータ・タイマが終了すると、移動局はページング・インジケータ・ビットまたはコンフィギュレーション変更インジケータ・ビットを受信するためにウェークアップしないことにより、バッテリまたは他の電源を節約すべきである。これは、ＢＣＣＨがなく、ＰＣＨのみがある場合に適用される。この場合にＢＣＣＨが構成されると、移動局はコンフィギュレーション変更インジケータでウェークアップせずに、ＢＣＣＨで好ましくはウェークアップする。あるいは、移動局は、ＰＣＨでウェークアップすべきかを判定するために、ページング・インジケータ・ビットを受信してもよい。
【００２９】
図４は、移動局手順のフローチャート４００を示す。移動局は、ウェークアップして、近傍パイロットのパイロット強度を測定することによって、近傍パイロットを走査する（４０１）。移動局は、近傍パイロットが現在監視中のパイロットよりも十分強いかどうかを判定する（４０５）。ステップ５０５の結果が否定である場合、移動局はステップ４１０に進み、それ以外の場合には、移動局はステップ４２５に進む。移動局はウェークアップして、第１ページング・インジケータ・ビットを受信する（４１０）。第１ページング・インジケータ・ビットが「オフ」であると移動局が判定する（４１１）と、移動局はステップ４１５に進む。第１ページング・インジケータ・ビットが「オフ」でない場合、移動局はスリープ状態に戻り（４１２）、再度ウェークアップして（４１３）、第２ページング・インジケータ・ビットを受信し（４１４）、スリープ状態に戻り（４１６）、そして判定ステップ４１５に進む。
【００３０】
次に、移動局は、次のＰＣＨスロットにページがないことに確信があるかどうかを判定する（４１５）。いずれのページング・インジケータ・ビットも「オフ」であると移動局が判断すると、判定ステップ４１５の結果は肯定になり、移動局はステップ４３０に進む。どのページング・インジケータ・ビットも「オフ」でない場合、結果は否定になり、移動局はウェークアップして（４２０）、自局に宛てられたページを受信するか、ＰＣＨスロットに自局宛のページがないことを判断するまで、ＰＣＨを受信する。次に、移動局はステップ４３０に進む。移動局は、受信しなければならない次のＱＰＣＨまでスリープする（４３０）。移動局が次のＱＰＣＨビットでウェークアップすると、これは近傍探索のために十分な時間が得られるように、ＱＰＣＨビットよりも数ｍｓ前でもよい。ステップ４３０の次に、移動局はステップ４０１に戻る。
【００３１】
ステップ４０５において判定されるように、近傍パイロットが現パイロットよりも十分強い場合、移動局は新規パイロットへのアイドル・ハンドオフを行う（４２５）。次に、移動局は、自局のコンフィギュレーション・パラメータ値タイマが新規基地局について終了したかどうかを判定する（４３５）。このステップの結果が肯定の場合、移動局はウェークアップして（４４０）、更新されたコンフィギュレーション・パラメータを受信する。好ましくは、これはコンフィギュレーション変更インジケータを受信せずに達成される。なぜならば、コンフィギュレーション変更インジケータを受信することは、移動局がコンフィギュレーション・パラメータを受信するためにウェークアップせざるを得ないときにバッテリまたは他の電源から電力を消費するためである。更新されたコンフィギュレーション・パラメータを受信した後、移動局は、ステップ４３０の場合と同様に、次のＱＰＣＨビットまでスリープ状態になる。次に、移動局はステップ４０１に戻る。
【００３２】
ステップ４３５において判定されるように、コンフィギュレーション・タイムアウトが終了していない場合、移動局は、必要に応じて、ＱＰＣＨ上でコンフィギュレーション変更インジケータ・ビットおよびページング・インジケータ・ビットを受信する（４４５）。ページング・インジケータ・ビットの受信は、ステップ４１０，４１１，４１２，４１３，４１４，４１５の場合と同様にして行われる。ＢＣＣＨがなく、またページング・インジケータ・ビットの一つがオフであることを移動局が判断しない場合、移動局はコンフィギュレーション変更インジケータ・ビットのためにウェークアップすることを防ぐことができる。なぜならば、この場合、移動局はいずれにせよＰＣＨスロットのためにウェークアップしなければならないためである。しかし、一般に、移動局は少なくとも一つのページング・インジケータ・ビットと少なくとも一つのコンフィギュレーション変更インジケータ・ビットとを受信する。好ましくは、移動局は第１ページング・インジケータ・ビットを受信し、このビットを受信した後は、次の予定のコンフィギュレーション変更インジケータ・ビットまでウェーク状態を維持し、このビットを受信し、それからスリープ状態に戻る。第１ページング・インジケータ・ビットが「オフ」に設定されていることを移動局が判定しない場合、移動局は第２ページング・インジケータを受信するのに間に合うようにウェークアップする。移動局が第２ページング・インジケータを受信して、「オフ」に設定されていることを判断したが、第１受信コンフィギュレーション変更インジケータ・ビットが「オフ」に設定されたことを判断しなかった場合、移動局は第２コンフィギュレーション変更インジケータ・ビットを受信するためにウェーク状態を維持する。好ましくは、これは次の予定のコンフィギュレーション変更インジケータ・ビットである。
【００３３】
第２コンフィギュレーション変更インジケータ・ビットが「オフ」に設定されていると移動局が判断すると（４４６）、移動局は好ましくはスリープ状態になり（４４７）、ステップ４５０に進む。第２コンフィギュレーション変更インジケータ・ビットが「オフ」に設定されていないと移動局が判断すると（４４６）、移動局は最初の２つのコンフィギュレーション変更インジケータ・ビットの結果を合成することにより、コンフィギュレーション変更ビットが「オフ」であるかどうかを判定する。２つのコンフィギュレーション変更インジケータ・ビットを合成した後に、コンフィギュレーション変化がないことを移動局が確信すると、移動局は好ましくはスリープ状態になり、ステップ４５０に進む。コンフィギュレーション変更インジケータ・ビットが「オフ」でないと移動局が判断すると（４４８）、移動局は好ましくは別のコンフィギュレーション変更ビットまでウェーク状態を維持し（４４９）、再評価などを行う。あるいは、移動局は、コンフィギュレーション変化があったことに確信がなくても、スリープ状態に戻ってもよい。移動局が任意の時間にコンフィギュレーション変更インジケータ・ビットを受信し、これが「オン」であることを判定すると、移動局は別のコンフィギュレーション変更インジケータ・ビットを受信するためにウェーク状態を維持する必要はない。コンフィギュレーション変更インジケータ・ビットと、必要に応じてページング・インジケータ・ビットを受信した後、移動局はステップ４５０に進む。
【００３４】
次に、移動局はスロットにページがないことを確信あるかどうか、それにコンフィギュレーション変化がなかったことに確信があるかどうかを判定する（４５０）。ステップ４５０の結果が肯定ならば、移動局は、ステップ４３０の場合のように、次のＱＰＣＨビットまでスリープし（４６０）、それからステップ４０１に戻る。移動局がページがなく、かつコンフィギュレーション変化がないことに確信がない場合、移動局はウェークアップして（４５５）、コンフィギュレーション変化がないことを確信できない場合に、最新のコンフィギュレーション・パラメータ値を有していることを確認する。また、移動局は、自局に宛てられたページを受信するか、あるいはＰＣＨスロットに自局宛のページがないことを判定するまで、自局のページング・チャネル・スロットでウェーク状態を維持しなければならない。移動局が自局のコンフィギュレーション・パラメータ値が最新であり、自局宛のページがないことを確信した後、移動局は、ステップ４３０の場合にように次のＱＰＣＨビットまでスリープし、それからステップ４０１に進む。
【００３５】
基地局が自局のコンフィギュレーション・パラメータ値情報を更新すると、基地局は、好ましくは、最大スロット・サイクル・インデクスの関数である時間だけ、全てのＱＰＣＨページング・インジケータ・ビットを「オン」に設定する。コンフィギュレーション・パラメータ値の変化がＱＰＣＨのパワー・レベルの変化を含む場合、この時間期間におけるページング・インジケータ・ビットのパワー・レベルは旧ＱＰＣＨパワー・レベルに設定される。これは、ＱＰＣＨのパワーが低減される際に、ＱＰＣＨページング・インジケータを監視する移動局が新規パラメータを受信するためにウェークアップすることを保証するためには、特に重要である。低減されたパワー・レベルをすぐに利用する場合、移動局はコンフィギュレーション変化を認識していないので、「失われる」ことがある。この時間期間後に、ページング・インジケータ・ビットの新規パワー・レベルを利用できる。
【００３６】
同様に、基地局が自局のコンフィギュレーション・パラメータ値情報を更新すると、基地局は所定の時間だけ、好ましくは、コンフィギュレーション情報を変更してから１０分間だけ、全てのコンフィギュレーション変更インジケータ・ビットを「オン」に設定する。コンフィギュレーション・パラメータ値の変化がＱＰＣＨのパワー・レベルの変化を含む場合、この時間期間におけるコンフィギュレーション変更インジケータ・ビットのパワー・レベルは旧ＱＰＣＨパワー・レベルに設定される。これは、ＱＰＣＨのパワーが低減される際に、アイドル・ハンドオフ後にＱＰＣＨコンフィギュレーション変更インジケータを監視する移動局が新規パラメータを受信するためにウェークアップすることを保証するためには、特に重要である。低減されたパワー・レベルをすぐに利用する場合、移動局はコンフィギュレーション変化を認識していないので、「失われる」ことがある。この時間期間後に、コンフィギュレーション変更インジケータ・ビットの新規パワー・レベルが好ましくは用いられる。
【００３７】
以下の演算子は、数学演算を定義する。
×は、乗算を表す。
【００３８】
└ｘ┘は、ｘより小さいかあるいはそれに等しい最大整数を表す：└１．１┘
＝１，└１．０┘＝１。
【００３９】
┌ｘ┐は、ｘよりも大きいかあるいはそれに等しい最小整数を表す：┌１．１
┐＝２，┌２．０┐＝２。
【００４０】
｜ｘ｜は、ｘの絶対値を表す：｜−１７｜＝１７，｜１７｜＝１７。
【００４１】
【外１】
0003989174.tif 000002
【００４２】
は、排他的論理和(exclusive OR)（モジュロ２加算：modulo-2 addition）を表す。
【００４３】
ｍｉｎ（ｘ，ｙ）は、ｘおよびｙの最小値を表す。
【００４４】
ｍａｘ（ｘ，ｙ）は、ｘおよびｙの最大値を表す。
【００４５】
ｘ  ｍｏｄ  ｙは、ｘをｙで除した後の剰余を表す：ｘ  ｍｏｄ  ｙ＝ｘ−（ｙ×└ｘ／ｙ┘）。
移動局がクイック・ページング・チャネル動作をサポートする場合、移動局は、以下で説明するように、自局に割り当てられた特定のスロットにおいてページング・チャネルを監視する。それ以外の場合、移動局は自局の割り当てられた各スロットにおいてページング・チャネルを監視する。自局の割当スロットについて、移動局はスロットの最初のビットを受信するのに間に合うようにページング・チャネルの監視を開始する。移動局が報知アドレスを受信するように構成されていない場合、移動局は所定の条件が満たされるまでページング・チャネルの監視を続ける。
【００４６】
クイック・ページング・チャネルは、好ましくは、クイック・ページング・チャネル・スロットという８０ｍｓのスロットに分割される。クイック・ページング・チャネル・プロトコルは、移動局に割り当てられたクイック・ページング・チャネル・スロットにおいて、移動局用のページング・インジケータの送信のスケジューリングを行う。また、クイック・ページング・チャネル・プロトコルは、好ましくは、クイック・ページング・チャネル・スロットにおいて移動局用のコンフィギュレーション変更インジケータの送信のスケジューリングも行う。
【００４７】
図５は、本発明の好適な実施例によるクイック・ページング・チャネル・タイムラインを示す。移動局がスロット・モードで動作しており、クイック・ページング・チャネルをサポートする場合、移動局は以下のようにクイック・ページング・チャネル上でページング・インジケータを監視する。クイック・ページング・チャネル・スロット５０１は、ページング・チャネル５０３から２０ｍｓだけオフセットされる。移動局の割り当てられたページング・チャネル・スロット５０３の直前のクイック・ページング・チャネル・スロット５０１は、この移動局の割り当てられたクイック・ページング・チャネル・スロット５０５である。本発明の好適な実施例では、割り当てられたクイック・ページング・チャネル・スロット５０５において、２つのページング・インジケータが一つの移動局に割り当てられる。
【００４８】
以下の例では、ｔ＊は移動局の割り当てられたページング・チャネル・スロット５０３の開始時間である。ページング・インジケータは、好ましくは次のようにして割り当てられる。移動局の第１ページング・インジケータは、好ましくは、５１１と記された（ｔ＊−１００ｍｓ）と（ｔ＊−８０ｍｓ）との間で割り当てられ、第２ページング・インジケータは５１３と記された（ｔ＊−６０ｍｓ）と（ｔ＊−４０ｍｓ）との間で割り当てられる。あるいは、移動局の第１ページング・インジケータは、５１２と記された（ｔ＊−８０ｍｓ）と（ｔ＊−６０ｍｓ）との間で割り当てられ、第２ページング・インジケータは５１４と記された（ｔ＊−４０ｍｓ）と（ｔ＊−２０ｍｓ）との間で割り当てられる。
【００４９】
移動局がスロット・モードで動作しており、クイック・ページング・チャネルをサポートする場合、移動局は、ページング・チャネルが最近監視された基地局へのアイドル・ハンドオフを行う際に、一つまたはそれ以上のコンフィギュレーション変更インジケータを監視する。コンフィギュレーション変更インジケータは、好ましくは、クイック・ページング・チャネル上で１０ｍｓ毎に好ましくはスケジューリングされる。
【００５０】
スロット・モードで動作する移動局は、この移動局がクイック・ページング・チャネルをサポートし、この移動局がページング・チャネルを監視していない場合に、この移動局の割り当てられたクイック・ページング・チャネル・スロット５０５においてページング・インジケータを好ましくは監視する。それ以外の場合には、移動局はクイック・ページング・チャネル・スロット５０５に関連する割当ページング・チャネル・スロット５０３を監視する。
【００５１】
移動局の割り当てられたクイック・ページング・チャネル・スロット５０５は、好ましくは以下のスロットである。
（└（ｔ−５）┘−ＰＧＳＬＯＴ）ｍｏｄ（１６×Ｔ）＝０
ここで、ｔはフレーム単位のシステム時間であり、ＰＧＳＬＯＴは０〜２０４７の範囲内で好ましくは選択され、Ｔはスロット・サイクル長であり、好ましくは以下が成立するように１．２８秒の単位である。
Ｔ＝２i
また、ｉはスロット・サイクル・インデクスである。
【００５２】
移動局の割り当てられたクイック・ページング・チャネル・スロット５０１の開始に対して、移動局の２つの割り当てられたページング・インジケータの位置を判定するために、移動局は上記のハッシュ関数(hash function)を好ましくは利用する。
【００５３】
好ましくは、移動局は以下の式に従って、ＱＰＣＨスロット５０１内の第１ＱＰＣＨビットに対して、自局の第１割当ページング・インジケータのビット位置を判定する：
１＋└（Ｒ１）／（Ｎ／４）┘＋Ｒ1ここで、ＮはＲ1を求めるために用いられる図６からの値である。
【００５４】
好ましくは、移動局は以下の式に従って、ＱＰＣＨスロット５０１内の第１ＱＰＣＨビットに対して、自局の第２割当ページング・インジケータのビット位置を判定する。
１＋└（Ｒ２）／（Ｎ／４）┘＋Ｒ2
ここで、ＮはＲ2を求めるために用いられる図６からの値である。
【００５５】
本発明の好適な方法は次のようにして行われる。移動局は、自局の第１割当ページング・インジケータを受信する。移動局がこの第１割当ページング・インジケータが「オフ」であると検出しなければ、移動局は第２ページング・インジケータを受信する。移動局がこの第２割当ページング・インジケータが「オフ」であると検出しなければ、移動局は、自局の割り当てられたクイック・ページング・チャネル・スロットの直後の自局の割当クイック・ページング・チャネル・スロットを好ましくは受信する。
【００５６】
移動局がクイック・ページング・チャネルをサポートし、新規基地局がクイック・ページング・チャネルをサポートし、移動局がページング・チャネルを監視しておらず、そして移動局が新規ページング・チャネル上で有効なメッセージを最後に受信してから経過時間が６００秒未満である場合には、ページング・チャネルが最近監視されていた基地局へのアイドル・ハンドオフを実施する前に、スロット・モードで動作する移動局は、新規基地局について割り当てられたクイック・ページング・チャネル上で一つまたはそれ以上のコンフィギュレーション変更インジケータを好ましくは監視する。
【００５７】
好ましくは、移動局は以下の式に従って、ＱＰＣＨスロット内の第１ＱＰＣＨビットに対して、自局のコンフィギュレーション変更インジケータ・ビットのビット位置を判定する。
（（Ｎ／４）＋１）×Ｐ
ここで、ＮはＲ1およびＲ2を求めるために用いられる図６からの値であり、Ｐは好ましくは０〜７の範囲である。
【００５８】
移動局がコンフィギュレーション変更インジケータを監視し、これが「オフ」に設定されると判断した場合、移動局はアイドル・ハンドオフ後に非スロット・モードに入ることを防ぐ。
【００５９】
アイドル・ハンドオフを実施する際に、移動局がクイック・ページング・チャネル動作をサポートし、かつ移動局が新規ＱＰＣＨのＱＰＣＨコンフィギュレーション変更インジケータが「オフ」に設定されると判断した場合、そして移動局が新規ページング・チャネル上で有効なメッセージを最後に受信してから経過時間が６００秒未満である場合、移動局は、好ましくは、アイドル・ハンドオフ後に非スロット・モードで動作を開始しない。それ以外の場合には、移動局は新規ページング・チャネル上で少なくとも一つの有効なコンフィギュレーション・メッセージまたは汎用ページ・メッセージを受信するまで、非スロット・モードで動作する。
【００６０】
アイドル・ハンドオフを実施した後、移動局は、旧ページング・チャネル上で受信した全ての未処理メッセージを好ましくは破棄する。
【００６１】
移動局が非スロット・モードに入ると、移動局はＣＯＮＦＩＧ＿ＭＳＧ＿ＳＥＱｓをＮＵＬＬに設定し、それ以外の場合には、移動局はＣＯＮＦＩＧ＿ＭＳＧ＿ＳＥＱｓを新規ページング・チャネルの格納済み情報に設定する。移動局が新規ページング・チャネルのコンフィギュレーション・パラメータを格納していない場合、あるいは格納済み情報が最新でない場合、移動局はＳＹＳ＿ＰＡＲ＿ＭＳＧ＿ＳＥＱｓ，ＮＧＨＢＲ＿ＬＳＴ＿ＭＳＧ＿ＳＥＱｓ，ＥＸＴ＿ＮＧＨＢＲ＿ＬＳＴ＿ＭＳＧ＿ＳＥＱｓ，ＧＥＮ＿ＮＧＨＢＲ＿ＬＳＴ＿ＭＳＧ＿ＳＥＱｓ，ＣＨＡＮ＿ＬＳＴ＿ＭＳＧ＿ＳＥＱｓ，ＥＸＴ＿ＳＹＳ＿ＰＡＲ＿ＭＳＧ＿ＳＥＱｓおよびＧＬＯＢ＿ＳＥＲＶ＿ＲＥＤＩＲ＿ＭＳＧ＿ＳＥＱｓをＮＵＬＬに設定する。
【００６２】
特定の手順では、Ｎ資源の間で移動局を均等に分配することを必要とする。以下の関数は、移動局のＩＭＳＩまたはＥＳＮと、資源の数Ｎと、変更子ＤＥＣＯＲＲとを引数として利用して、整数を返す。変更子(modifier)は、同一の移動局からさまざまな適用について得られた値を脱相関(decorrelate)すべく機能する。
【００６３】
アクセス・チャネルＰＮランダム化(Access Channel PN Randomization)を判定するためにハッシュ関数を利用する場合、ＨＡＳＨ＿ＫＥＹは移動局ＥＳＮに等しくなければならない。それ以外の場合、ＨＡＳＨ＿ＫＥＹは、好ましくは、ＩＭＳＩ＿Ｏ＿Ｓ１＋２24(ＩＭＳＩ＿Ｏ＿Ｓ２の３２最下位ビットに等しい。
【００６４】
以下のように定義する。
・  ワードＬは、ＨＡＳＨ＿ＫＥＹのビット０〜１５である。
【００６５】
・  ワードＨは、ＨＡＳＨ＿ＫＥＹのビット１６〜３１である。
ここで、ビット０はＨＡＳＨ＿ＫＥＹの最下位ビットである。ハッシュ値は以下のように計算される。
【００６６】
【数１】
0003989174.tif 000003
【００６７】
移動局の割り当てられたページング・インジケータ・ビット位置を判定するために、ハッシュ値は次のように計算される。
【００６８】
【数２】
0003989174.tif 000004
【００６９】
および
【００７０】
【数３】
0003989174.tif 000005
【００７１】
好ましくは、移動局は、図６に示すように、適用に応じて、範囲Ｎおよび変更子ＤＥＣＯＲＲ，ＤＥＣＯＲＲ1およびＤＥＣＯＲＲ2を選ぶ。この表では、ＨＡＳＨ＿ＫＥＹ［０．．．１１］は、ＨＡＳＨ＿ＫＥＹの１２個の最下位ビットを示す。
【００７２】
基地局はクイック・ページング・チャネルをサポートできる。クイック・ページング・チャネルがサポートされる場合、基地局は割り当てられたクイック・ページング・チャネル・スロットにおける割り当てられた位置にて、ページング・インジケータを移動局に送信する。基地局は、移動局が自局の割り当てられたクイック・ページング・チャネル・スロットに続くページング・チャネル・スロットにおいてページング・チャネルを受信する場合には、ページング・インジケータを「オン」に設定する。
【００７３】
基地局がクイック・ページング・チャネルで動作する場合、任意のコンフィギュレーション・パラメータ値が更新された後、基地局は１．２８秒のＴ単位の時間期間にて、各クイック・ページング・チャネル・スロットについて全てのページング・インジケータを「オン」に設定する。ただし、
【００７４】
【数４】
0003989174.tif 000006
【００７５】
であり、Ｎは１以上の整数である。
【００７６】
基地局がクイック・ページング・チャネルで動作する場合、任意のコンフィギュレーション・パラメータ値が更新された後、基地局は６００秒の時間期間にて、各クイック・ページング・チャネル・スロットについて全てのコンフィギュレーション変更インジケータを「オン」に設定する。それ以外の全ての時間では、基地局は全コンフィギュレーション変更インジケータを「オフ」に設定する。
【００７７】
移動局の割り当てられたクイック・ページング・チャネルを判定するために、基地局は以下の入力、すなわち、移動局が登録しているＩＭＳＩに基づくＩＭＳＩ＿Ｓと、基地局が移動局の割当ＣＤＭＡチャネル上で送信するクイック・ページング・チャネルの数とともに、図６に規定されるハッシュ関数を好ましくは利用する。
【００７８】
好適な実施例では、移動局の割当クイック・ページング・チャネル・スロットは、以下のスロットである。
【００７９】
【数５】
0003989174.tif 000007
【００８０】
ここで、ｔはフレーム単位のシステム時間であり、ＰＧＳＬＯＴは図６に規定されるハッシュ関数を利用することによって０〜２０４７の範囲内で好ましくは選択され、Ｔはスロット・サイクル長であり、好ましくは以下が成立するように１．２８秒の単位である。
Ｔ＝２i
また、ｉはスロット・サイクル・インデクスである。
【００８１】
移動局の割当ページング・インジケータを判定するために、基地局は移動局によって用いられる同じ式を好ましくは利用する。コンフィギュレーション変更インジケータの位置を判定するために、基地局は移動局によって用いられる同じ式を好ましくは利用する。
【００８２】
基地局がＱＰＣＨ＿ＳＵＰＰＯＲＴＥＤを「１」に設定すると、基地局は、図７に規定されるように、パイロット・チャネルのレベルに対してクイック・ページング・チャネル送信パワー・レベルにこのフィールドを設定しなければならない。
【００８３】
以上、本発明についてその特定の例の観点から説明したが、これは上記の説明に制限されることを意図するものではなく、むしろ特許請求の範囲に規定される範囲に制限されるものとする。
【図面の簡単な説明】
【図１】  本発明の好適な実施例によるクイック・ページング・チャネルを示す。
【図２】  従来技術による移動局のクイック・ページング・チャネル・ページング・インジケータ・ビットのビット位置を示す。
【図３】  本発明の好適な実施例による、１０ｍｓ毎のコンフィギュレーション変更インジケータを含むクイック・ページング・チャネルを示す。
【図４】  本発明の好適な実施例により、移動局をウェークアップすべきかを判定するためのフローチャートを示す。
【図５】  本発明の好適な実施例によるクイック・ページング・チャネル・タイムラインを示す。
【図６】  本発明の好適な実施例によるハッシュ関数変更子表を示す。
【図７】  本発明の好適な実施例による、ＱＰＣＨパワー・レベル・フィールドに関連する送信パワー・レベルを示す表を示す。
【図１】
0003989174.tif 000008
【図２】
0003989174.tif 000009
【図３】
0003989174.tif 000010
【図４Ａ】
0003989174.tif 000011
【図４Ｂ】
0003989174.tif 000012
【図５】
0003989174.tif 000013
【図６】
0003989174.tif 000014
【図７】
0003989174.tif 000015